(57)【特許請求の範囲】
【請求項１】
ラベル発行部より特定情報を印刷した特定ラベルの供給を受け該特定ラベル移送コンベヤーにより移送中の採血管に供給して、採血管ごとに特定した情報を印刷した特定ラベルを自動的かつ連続的に貼り付けるラベル貼付部と、血液入り採血管をラベル貼付部に移送する移送コンベヤーの移送面を垂直面ないし移送方向に直交方向に傾斜面とし、採血管を垂直状態ないし移送方向に直交方向に傾斜状態で移送する移送コンベヤーとを有し、移送コンベヤーの始端側において、
血液入り採血管を垂直状態ないし移送方向に直交方向に傾斜状態でラベル貼付部に移送して、血液入り採血管に特定ラベルの貼付けを行うことを特徴とする採血管用ラベル自動貼付け装置。
【請求項２】
移送コンベヤー１１を間欠移動させ、移送コンベヤー１１にる採血管Ａの停止中の状態で、ラベル貼付部１０による個別特定ラベルＤの仮貼付け動作を行うことを特徴とする請求項１記載の採血管用ラベル自動貼付け装置。
【請求項３】
ラベル貼付部１０は、ラベル発行装置１４を付設した仮貼り付部１５と第２貼付け部１６とで構成し、ラベル発行装置１４は採血管に関する個別情報をバーコード、二次元コード等に変換してラベルプリンターによりラベル用紙に印字して個別特定ラベルＤを発行し、仮貼り付部１５は個別特定ラベルＤを採血管Ａの周面の一部に押当ることで、個別特定ラベルＤを移送コンベヤー１１により移送中の採血管Ａに仮貼付けし、第２貼付け部１６は、移送コンベヤー１１により移送中の採血管Ａに押圧自在かつ回転自在であるローラー１７を装備して、ローラー１７を押圧させつつ採血管を回転させて採血管Ａに仮貼付けした個別特定ラベルＤを採血管Ａに完全接着することを特徴とする請求項１記載の採血管用ラベル自動貼付け装置。
【発明の詳細な説明】
【０００１】
【産業上の利用分野】
本発明は、採血管用ラベル自動貼付け装置に関するものである。
より詳しくは、採血者に関する個別事項（採血者の氏名コード、採血日等の情報）を印刷した個別特定ラベルを、採血管に自動的かつ連続的に貼り付けるための採血管用ラベル自動貼付け装置に関するものであ
【０００２】
【従来の技術】
採血管用ラベル自動貼付け装置に関し、ラベルを貼付けるべき空採血管を貯蔵する貯蔵ストック部と、該貯蔵ストック部より供給された空採血管に、該空採血管に対する特定ラベルを自動的かつ連続的に貼り付けるラベル貼付部と、ラベル貼付部よりのラベル貼付済み空採血管の供給を受けて複数個をラックに収容しラックに収容した空採血管を取出し自在とするラック移載部とを有するラベル貼付けラインが公知である。
該公知の採血管用ラベル自動貼付け装置のラベル貼付部においては、空採血管を水平状態で移送し、移送中の空採血管に、上方より採血者に関する個別事項を印刷した特定ラベルを貼付けている。
一方、血液入り採血管に対するラベル貼付けは手貼り方式である。
【０００３】
【発明が解決しようとする課題】
本発明は、血液入り採血管に、血液入り採血管に対する所定の個別事項（採血者の氏名コード、採血日等の情報）を表示した特定ラベルを、自動的に貼付けるための装置を提供することを課題とする。
さらに、血液入り採血管は、血液を検体とするものであることにより個々に検体を特定し他人の血液と区別することが検査データの確実性の確保のために絶対的に必要とすることて、血液入り採血管に特定ラベルを貼付けるにあたり、検体である血液が採血管より漏出のおそれを無くすこと、および開栓時の栓への血液の付着による汚染を極力少なくすることを課題とする。
【０００４】
【課題を解決するための手段】
本願発明は、ラベル貼付けラインにおけるラベル貼付ステーションにおいて、検体（血液）入り採血管を移送する移送コンベヤーの移送面を垂直面ないし移送方向に直交方向に傾斜面としたことを特徴とする。
【０００５】
【作用】
その移送面を垂直ないし移送方向に直交方向に傾斜状態で回行している移送コンベヤーに、手差しで検体（血液）入り採血管を供給して、血液入り採血管を垂直ないし傾斜状態で特定ラベル貼付部に移送する。
特定ラベル貼付部において、垂直ないし傾斜状態で移送中の検体（血液）入り採血管に特定ラベル貼付けを行う。
なお、実施例においては、手差しによる血液入り採血管の供給に代えてを移送コンベヤーの始端部へ貯蔵ステーションよりロボットにより空採血管を自動供給自在として、血液入り採血管に代えてを空採血管を選択してラベル貼付けを自在とする。
【０００６】
【実施例】
以下、以下図面に示す実施例にもとづいて説明する。
図１は、ラベル貼付けラインにおけるラベル貼付けステーションに適用した本願発明の実施例の採血管用ラベル自動貼付け装置１を示し、採血管Ａをラック移載ステーション３に向け移送する移送コンベヤー１１について、その移送面１１Ａを、垂直面ないし移送直交方向に傾斜面（実施例においては３０度前方向き傾斜面とするが、４５度以内の傾斜角としてもよい）。後述のラベル貼付部１０におけるラベルの供給状態は、移送コンベヤー１１の移送面１１Ａに対応させて、垂直面ないし移送直交方向に傾斜させる。
実施例においては、移送コンベヤーにおける始端部に血液入り採血管Ａを手差しで供給して、移送コンベヤーに始端部に血液入り採血管の手差供給部１２を形成する。
移送コンベヤー１１の移送面１１Ａに採血管狭持爪１３を突出させて、採血管Ａを回転自在に支持する。
【０００７】
移送コンベヤーにより移送中（実施例においては、約１秒の停止のタイミィングで間欠移動させるべく、移送コンベヤーの駆動モーターを連続運転ではなく間欠運転としたが、連続運転してもよいものである）の血液入り採血管Ａに、採血管に関する個別情報（採血者の氏名コード、採血日等の情報）を記録した特定ラベルＤを貼付けるためのラベル貼付部１０を設ける。
ラベル貼付部１０は、ラベル発行装置１４を付設した仮貼り付部１５と第２貼付け部１６とで構成し、ラベル発行装置１４は採血管に関する個別情報（採血者の氏名コード、採血日等の情報）をバーコード、二次元コード等に変換してラベルプリンターによりラベル用紙に印字して個別特定ラベルＤを発行し、仮貼り付部１５は個別特定ラベルＤを採血管Ａの周面の一部（採血管Ａにおける仮貼り付部１５との対向面）に押当ることで、個別特定ラベルＤを移送コンベヤー１１により移送中の採血管Ａに仮貼り付けする。
【０００８】
第２貼付け部１６は、移送コンベヤー１１により移送中の採血管Ａに押圧自在かつ回転自在であるローラー１７を装備して、該ローラー１７を回転させることで、個別特定ラベルＤを仮貼り付けし移送コンベヤー１１により移送中の採血管Ａにローラー１７を押圧させつつ採血管を回転させる。その結果、個別特定ラベルＤは移送中の採血管Ａに完全接着する。
なお、移送コンベヤー１１は採血管Ａを搬送面に直交方向に位置して回転自在に支持されているので、回転するローラー１７との接当により容易に回転する。
【０００９】
実施例においては、移送コンベヤー１１の終端部に、個別特定ラベルＤの採血管に関する個別情報を読み取るためのコード情報読取り装置１８を設ける。コード情報読取り装置１８は、移送コンベヤー１１により移送中の採血管Ａに仮貼り付けた個別特定ラベルＤと対向するスキャナー１９を装備して、個別特定ラベルＤの採血管に関する個別情報（採血者の氏名コード、採血日等の情報）を示すバーコード、二次元コード等を読み取る。
【００１０】
実施例においては、オペレーター確認用の表示装置４１と操作用キーボード４２とを有するオペーレーションステーション４を装備する。
オペーレーションステーション４において、オペレーターはコード情報読取り装置１８のスキャナー１９からの個別特定ラベルＤの個別情報（採血者の氏名コード、採血日等の情報）を示すバーコード、二次元コード等が読取り不可能であることを表示装置４１で確認したとき（即ち不良品の発生を検知したとき）は、操作用キーボード４２を操作してラインを停止させて（または、コード情報読取り装置１８よりの不良発生の情報にもとづき自動停止させて）確認する。
【００１１】
本発明の実施にあたり、移送コンベヤー１１の始端部の手差し供給部１３において、その移送面を垂直面ないし傾斜面とする移送コンベヤー１１に、垂直ないし傾斜状態で、手差しで検体（血液）入り採血管Ａを供給する。移送コンベヤー１１は、手差し供給された血液入り採血管Ａを垂直ないし上向傾斜状態でラベル貼付部１０に移送する。
ラベル貼付部１０において、移送コンベヤー１１により垂直ないし傾斜状態で移送中の血液入り採血管Ａに特定ラベル貼付けを行う。この際、ラベル発行装置１４を付設した仮貼り付部１５は、ラベル発行装置１４により採血管Ａに関する個別情報を印字した個別特定ラベルＤを採血管Ａの周面の一部に採血管Ａの垂直方向（移送方向と直交方向）に仮貼り付けする。つぎに、第２貼付け部１６のローラー１７が、移送中の採血管Ａに押圧かつ回転することで、採血管Ａに仮貼り付けした個別特定ラベルＤを、採血管Ａに完全接着する。この際、採血管Ａも回転することで、個別特定ラベルＤの採血管Ａへの完全接着を確実にする。
かくして、血液入り採血管Ｂ内の血液の個別情報を示す特定ラベルが貼付けが完了する。
【００１２】
つぎに、図２を参照して、本発明の採血管用ラベル自動貼付け装置をラベル貼付ステーション１に装備したラベル貼付けラインを説明する。
１０台のストッカーにより１０００本の空採血管Ｂを貯蔵し、ストッカーに貯蔵されている空採血管Ｂをコンピューター制御により自動的に供給コンベヤに落し込み、供給コンベヤの終端部で送込みロボット２１により空採血管Ａを１本づつラベルス貼付テーション１へ送り込む貯蔵ステーション２を設け、ラベル貼付ステーション１の移送コンベヤー１１に空採血管Ｂを供給自在とする。
【００１３】
ラベル貼付テーション１の移送コンベヤー１１の終端より採血管を受取り、ラックＣに複数個（５本）の採血管を整列状態で収納する採血管移載ロボット３１を有するラック移載ステーション３を設け、ラックコンベヤにより、５本の採血管を垂直状態で整列して収納したラックＣの供給、取出しを容易とする。
【００１４】
図２のラベル貼付けラインにおいては、貯蔵ステーション２に貯蔵した空採血管Ｂをラベル貼付ステーション１に供給自在とすることで、ラベル貼付テーション１の手差し供給部１３による血液入り採血管Ｂの手差し供給に代えて、空採血管Ｂの供給を自在とする。この場合、ラック移載ステーション３のラックＣには、空採血管Ｂを収容し、ラベル貼付ステーション１においては、採血予定者の個別情報を示す特定ラベルが貼付けられることとなる。
即ち、ラック移載ステーション３のラックの採血管について、空採血管Ｂを収容する場合においては、採血予定者の個別情報を示す特定ラベルが貼付けられ、血液入り採血管Ａを収容する場合には、血液入り採血管Ａ内の血液の個別情報を示す特定ラベルが貼付けられることとなる。
【効果】
本発明は、ラベル貼付けラインにおけるラベル貼付ステーションにおいて、
ラック移載部に向け採血管を移送する移送コンベヤーについて、その移送面を垂直面ないし傾斜面として、垂直ないし傾斜状態の採血管に特定ラベル貼付けを行うものであるから、ラベル貼付けラインにおける検体（血液）入り採血管を垂直ないし傾斜状態に維持することで検体（血液）の漏出、他人の検体（血液）の混入を無くして試験データの確実性を高めることができる。
また、採血管を垂直ないし傾斜状態に維持して特定ラベル貼付けを行うことにより、採血管の頭部への血液の付着がないので、開栓時の栓への血液の付着にもとづく採血管取扱者や採血管試験室等の血液汚染を極力少なくして、院内汚染問題の解決に寄与するものである。
【図面の簡単な説明】
【図１】本発明の実施例を示す、採血管用ラベル貼付け装置の大要を示す斜視図。
【図２】図１の採血管用ラベル貼付け装置を装備したラベル貼付けラインの斜視図。
【符号の説明】
１    採血管用ラベル自動貼付け装置
３    ラック移載ステーション
１０    ラベルル貼付部
１１    移送コンベヤー
１２    手差供給部
１３    採血管狭持爪
１４    ラベル発行装置
１５    仮貼り付部
１６    第２貼付け部
１７    ローラー
Ａ    採血管
Ｄ    特定ラベル
【図１】
0003790784.tif 000002
【図２】
0003790784.tif 000003